(57)【特許請求の範囲】
【請求項１】
傘カバーなどの追加的なさらなる機能を有する折り畳み可能な傘であって、グリップカバーと、回転および固定可能な二重に取り付けられた中棒の支持部とを備える小型のポケット傘であって、グリップカバー（２）と、中棒（３）と、傘ヘッド部（４）と、脚部軸受（５）と、傘骨（７）と、傘布（８）とから構成される、小型のポケット傘において、
上記傘（１）は、上記傘をバネによって安定化するシリンダ形の多機能の支持部材（３３１）を備えており、上記支持部材（３３１）は、パイプ収容部（３３６）を介して垂直の中棒（３）の第１のパイプ区域１（３３）に一体化されて連結されており、上記グリップカバーの内部を上記中棒に沿って移動し、上記支持部材（３３１）のボディは、底部蓋（５１）に向かって開口した円錐台のドーム（３３５）を備えており、上記ドーム（３３５）には、反対側で開口した別の円錐台の収容部（３３７）が接続されており、上記収容部（３３７）の最も外側の脚部は、水平状に環状にのびる、回転角に依存した多数の部材から構成される多機能端部に移行しており、これによって、分割区域に依存した機能領域が規定され、上記機能領域は、支持領域（３３４）、上記支持領域（３３４）に隣接したスライドバネ領域（３３３）、および、上記スライドバネ領域（３３３）に軸方向に切込みを介して接続された通気領域（３３２）であることを特徴とする、小型のポケット傘。
【請求項２】
上記支持部材（３３１）の多機能端部の選択された１２０°の分割区域において、複数の上記支持領域（３３４）は、材料が混合された静止した三脚を形成することを特徴とする、請求項１に記載の、グリップカバーと中棒の支持部とを備える小型のポケット傘。
【請求項３】
上記支持部材（３３１）のスライドバネ領域（３３３）の外径は、上記支持領域（３３４）の対応する寸法よりも、上記グリップカバー（２，２１）の内径に応じて、わずかに大きな径方向の寸法を有していることを特徴とする、請求項１または２の少なくとも１項に記載の、グリップカバーと中棒の支持部とを備える小型のポケット傘。
【請求項４】
上記支持部材（３３１）のスライドバネ領域（３３３）は、上記支持部材の端部の切込みによって生じ、上記通気領域（３３２）を形成することを特徴とする、請求項１〜３の少なくとも１項に記載の、グリップカバーと中棒の支持部とを備える小型のポケット傘。
【請求項５】
上記支持部材（３３１）のスライドバネ領域（３３３）のバネ特性は、上記切込みを、平行、放物線状、楕円形、双曲線状、または非平行にのびるスロットとして形成すること、並びに、材料の選択によって、影響を受けることを特徴とする、請求項１〜４の少なくとも１項に記載の、グリップカバーと中棒の支持部とを備える小型のポケット傘。
【請求項６】
上記支持部材（３３１）のドーム（３３５）および収容部（３３７）の円錐台の連続は、適した材料の選択によって、支持領域（３３４）に、バネ特性をさらに提供することを特徴とする、請求項１〜５の少なくとも１項に記載の、グリップカバーと中棒の支持部とを備える小型のポケット傘。
【請求項７】
回転しないように連結された上記中棒のパイプおよび中棒の区域（３１〜３５）は、上記案内パイプ１（３１）に一体化されて連結されたピボット軸受（５５）を介して、脚部軸受（５）の対向軸受（６０）に、回転可能に搭載されていることを特徴とする、請求項１〜６の少なくとも１項に記載の、グリップカバーと中棒の支持部とを備える小型のポケット傘。
【請求項８】
上記脚部軸受（５）の対向軸受（６０）は、止めピン（６２）を備えており、上記止めピン（６２）は、上記支持部材（３３１）の通気領域（３３２）の適合する穴の中に設置されて、上記中棒（３）を回転しないようにすることを特徴とする、請求項１〜７の少なくとも１項に記載の、グリップカバーと中棒の支持部とを備える小型のポケット傘。
【請求項９】
上記脚部軸受（５）の対向軸受（６０）の止めピン（６２）は、係止フックまたは係止突起部を備えており、上記係止フックまたは係止突起部は、上記支持部材（３３１）の対応する収容部に噛み合うと共に、上記支持部材（３３１）が軸方向に回転しないように、上記支持部材（３３１）を固定することを特徴とする、請求項１〜８の少なくとも１項に記載の、グリップカバーと中棒の支持部とを備える小型のポケット傘。
【発明の詳細な説明】
【技術分野】
【０００１】
本発明は、傘カバーといった追加的なさらなる機能を有する折り畳み可能な傘に関し、特に、グリップカバーと、回転および固定可能な二重に取り付けられた中棒の支持部とを備える小型のポケット傘に関する。
【背景技術】
【０００２】
傘の歴史は長く、そのため、広範囲にわたる多数の様々な、対応する保護権利の文献が、蓄積されている。張ることおよび折り畳むことに関係するものは全て、用途に関連して、キーワード「折り畳み可能な傘」または「パタンと畳むことが可能な傘」の下で発展してきた。従って例えば、対応する用途の次の広範な分野が、存在する。
−    強化された傘骨フレームを有する折り畳み可能なポケット傘、
−    全自動式に折り畳み可能な傘、
−    自動式傘、
−    折り畳み可能な傘状の洗濯物干し、
−    イベント用の可動式の傘屋根、
−    風に対する耐性を有する折り畳み可能な傘、
−    開放が容易、且つ、折り畳み可能な、体積の少ない傘、
−    市街地図付きの折り畳み可能な傘、
−    折り畳み可能な傘のための吊下げ装置、
−    固定具および傘を備える椅子、
−    虫除け用の傘、
−    固定具および傘を備える自転車、
−    折り畳み可能な日除けを有する固定具、
−    乳母車用の固定具および傘、
−    動物のための固定具および傘、
−    ルーフカバー装置、
−    折り畳みおよび開くことが可能な輸送手段、
−    折り畳み可能なベビーバギー、
−    広帯域アンテナとしての折り畳み可能な傘。
【０００３】
技術的な構成部材、モジュール、および、解決策の手がかりは、これらの用途に隣接する専門分野にも見出すことができるが、以下では、折り畳み可能なポケット傘の機能に限定して説明する。
【０００４】
以下に、傘カバーといった追加的なさらなる機能を有する折り畳み可能な傘であって、傘グリップと入れ子式パイプの支持部とを備える折り畳み可能な傘の従来技術を、評価する。従来技術によれば、用途に関連して、多数の種類の、傘カバーのような追加的なさらなる機能を有すると共に傘グリップを備える折り畳み可能な傘が知られている。
【０００５】
特許文献１（オーストリアの実用新案公報ＡＴ  ００６  ２４９号）には、ミニポケット傘が紹介されている。このミニポケット傘は、閉じるためには、傘屋根の開閉機構のために中棒の中に導かれたヒモによって、中空体としての傘グリップの中にはめ込まれる。そして、その体積が小さくなるため、ジャケットやズボンのポケットの中に入れて輸送可能である。このポケット傘は、超軽量であり、極めて小型である。傘の中棒と屋根構造の傘骨とは、入れ子可能に構成されている。この傘は、使用後、上記のヒモによって傘グリップの中にはめ込まれ、蓋によって水密状に閉じられる。
【０００６】
この発明の新規性の欠点は、中棒が、傘グリップの脚部で一点支持されると共に、使用後の濡れた傘が、水密式に閉じられた傘グリップの中にはめ込まれる点であり、この技術的な解決策の手がかりは、もう少し成熟させることが必要な点である。
【０００７】
特許文献２（ドイツの実用新案ＤＥ  ２０  ２００７  ０１２  ２７６号／国際出願ＷＯ  ２００９／０３９  ９３９号）には、傘カバーのような追加的なさらなる機能を有する折り畳み可能な傘であって、特に、グリップカバーと入れ子式パイプの支持部とを備える小型のポケット傘が紹介されている。好ましくは楕円形に構成されたグリップカバーは、実質的に直立パイプ、入れ子式パイプ、スライド、傘骨、および傘布から構成される傘を、折り畳むことおよび押し込むことによって、完全に収容可能なように構成されている。アクセスが良好な、好ましくは同じく楕円形に形成された引っ張りグリップによって、使用者は、迅速に操作することができる。この引っ張りグリップは、最終的に入れ子式パイプに固定して連結されている。この支持部材は、その三脚構造およびその三脚滑り軸受によって、引っ張り出した入れ子式パイプのどの位置でも、この構成に安定性を提供する。傘のグリップカバーの両側、すなわち上部側および底部側の開口部によって（上部側の、グリップカバーのつばと引っ張りグリップとの間に形成される環状スロット、および、底部側の、好ましくは外側に軽く曲がった底板内の細長い縦スロットによって）、傘骨および傘布で充填された内部空間の通気が提供され、湿気が溜まることは回避される。
【０００８】
楕円形のグリップカバー、精巧な貝型のグリップ、および、成形されたつばを製造することは、比較的手間がかかり、引っ張りグリップを楕円形に形成することが必要となる。さらに、考慮すべき点は、底部側の通気スロットである。この支持部材は、３次元形状が選択されているために、三脚として構成されていなければならない。
【０００９】
特許文献３（ドイツ出願公開ＤＥ  １９５  ２５  ４０９号）には、傘カバーとしての、ロックおよび閉鎖可能な、好ましくはシリンダ状のプラスチックボックスが開示されている。このプラスチックボックスは、好ましくは二輪車のために開発されたものであり、特に、折り畳まれたポケット傘を、揺らさず、従って音を立てずに輸送するためのものである。傘屋根を形成する傘布を折り畳んで束ねている硬いシリンダボックスは、一方では、円形の底部によって閉鎖され、他方では、取り外し可能な蓋を備えている。この蓋は、歯ざおに連結され、押し込まれており、このため、止め輪状のフレーム固定部材を支えながら、ダイアル錠／数字合わせ錠を介してロック可能である。
【００１０】
このポケット傘の１つの特徴は、ポケット傘が、傘グリップを含む縦方向の長さにおいて、閉じられたボックスよりも短くなければならない点にある。
【００１１】
特許文献４（ドイツ特許公報ＤＥ  １９５  ０５  ７０７号）は、傘布が、傘の中棒の周りに星形に配置された傘骨によって支えられている折り畳み可能な傘に関する。傘骨は、傘の中棒に沿ってスライド可能、且つ、その上端部において停止可能な冠部に、回転可能にヒンジ接続されており、傘を開いた状態では、支持部材によって支えられている。支持部材は、一端において、傘骨にヒンジ接続されており、他端において、スライドにヒンジ接続されている。このスライドも、傘の中棒に沿って、スライド可能且つ停止可能である。傘を閉じて短くすることは、傘骨を、冠部の上から折り畳むことによって、および、折り畳まれた傘骨の間に、傘の中棒を挿入することによって行われる。
【００１２】
この構成の特徴は、傘骨および支持部材が、使用者から離れて折り畳まれることである。
【００１３】
特許文献５（ドイツ出願公開公報ＤＥ  １０２  ５３  ７９７号）には、乾燥機能を有する傘容器が紹介されている。この傘容器は、自動車における使用を前提としたものである。ここで、傘収容−容器は、自動車の車内暖房と接続されているか、または、調節可能な乾燥段階を有する専用の暖房を有している。好ましくは中空シリンダ形に構成された傘容器は、一方では、好ましくは押し込み可能な乾燥した傘を収容するか、または、他方では、押し込まれた濡れ傘を、乾燥の目的で、収容する必要がある。径方向に内側を向いている案内フィンによって、容器のシリンダ形の表面と、挿入された傘との間に、通路が形成される。この通路は、傘を導入する側の反対側から供給された空気によって通気され、濡れた傘布の湿気を、排出することになっている。側方から空気を供給する際には、縦の案内板の代わりに、代替的に、横板が設けられていてもよい。
【００１４】
気候的条件に関連する、この新規の発明の寸法については、記載されていない。
【００１５】
特許文献６（ドイツ出願公開ＤＥ  １０２  １７  ２８０号）には、折り畳み可能な傘の、多機能性の傘ホルダおよびグリップホルダが記載されている。グリップホルダは、シリンダ状の管部分を備えており、管部分は、内壁において、折り畳まれた長さの傘収容部が回転しないようにするために、軸方向にのびる案内と、先端の冠部材の側の管開口部において、管部分に一体化されて接続された中空シリンダ形の接続リングを備えていると共に、反対側の管端部において、固定されたシリンダ形の底部蓋と、中棒の下端部に固定され、中棒の負荷を受ける中空シリンダ形の連結具とを備えている。軸案内の代わりに、接続リングおよび蓋が、横方向の凹部を有していてもよく、連結具の外側に取り付けられ切込みが形成された、軸方向以外への突起部で、連結具を、接続リングおよび底部蓋において、シリンダと同一平面状に接合させることが可能である。さらに、連結具は、柔軟性のあるスナップ素子を備えている。このスナップ素子は、傘が開かれた状態では、接続リングの穴に噛み合うと共に、傘が折り畳まれた状態では、底部蓋の同様の穴に噛み合う。従って、接続リングおよび底部蓋は、傘の操作時に、管部分において滑動する連結具の移動路のための停止材を形成する。
【００１６】
傘骨を開いた状態では、中棒は、連結具、接続リング、およびグリップホルダとしての管部分を介して、回転しないように傘骨に接続される。すなわち、中棒のための第２の支持軸受は、設けられていない。
【００１７】
特許文献７（欧州出願ＥＰ  ４９５  ４７２号／ドイツ実用新案  ＤＥ  ９１  １５  １０８号およびＤＥ  ９１  ００  ５０５号）には、外部からアクセス可能な一体形成されたポケット傘を含む容器が紹介されている。この発明の新規性は、わずかな場所しか必要としない書類かばんの蓋の中や、内部構造の後方に取り付けられる、平坦な管状容器にある。この直方体の形の管の中には、平らな四角形の、入れ子可能なポケット傘が取り外し可能に挿入される。傘のグリップは、ロックすることによって、管の中で固定される。ロックを解除した後は、傘は、傘の中棒の中に取り付けられたバネ機構によって、外側に向かって放出される。
【００１８】
傘および容器は、その構造に応じてのみ、互いに依存している。
【００１９】
特許文献８（ドイツ出願公開ＤＥ  ４３  １４  ６５０号）には、ポケット傘を追加的に収納するための鞘形の収容部を備える、持ち運び可能な容器が記載されている。鞘形の収容部、傘、および／または、容器といった３つの全ての対象を、使用しない時に、可能な限り小さな体積に構成すると共に、容易且つ簡単に導くまたは挿入することを可能にし、しかし同時に、使用が必要な場合には、再び、容易な使用に備えて手に持つことができるように、容器の形状が、折り畳んで巻き上げ可能な持ち運びかばん、またはリュックサックの形を有していることが提案されており、この容器は、持ち運びかばん、またはリュックサックの、横方向のエッジに対して横にのびる一端に、鞘形の収容部を有している。
【００２０】
当該出願では、ポケット傘および容器は、２つの無関係な装置である。
【００２１】
特許文献９（ドイツ出願公開ＤＥ  ４０  ０８  ２１２号）は、傘布と、開いた状態において傘布を張っている折り畳み可能なフレームと、ハンドグリップとを備える折り畳みポケット傘に関する。この傘の特徴は、フレームが、引き出し可能な棒（入れ子棒）と、傘布を張るための螺旋ワイヤと、中央の棒、螺旋ワイヤ、および傘布を収容するためのパイプ状のケースから成るハンドグリップとから構成されている点である。螺旋ワイヤは、傘布の最も外側の端部において、制限された引張糸によって導かれている。この引張糸は、螺旋ワイヤと一緒に、収容するケースの脚部の手動巻き上げ装置の中で終結している。巻き上げ装置を起動させることによって、螺旋ワイヤおよび引張糸（傘布および入れ子棒を含む）は、収容ケースの中に引っ張り込まれる。
【００２２】
この収容ケースの寸法については、記載されていない。
【００２３】
特許文献１０（ドイツ出願公開ＤＥ  ２３  ０７  ７０６号／イタリア出願ＩＴ  ２０  ８９８号）には、任意の種類のポケット傘、例えば、折り畳み傘、入れ子式傘、および／または、コウノトリのくちばし状の傘などの、ポケット傘が紹介されている。このポケット傘には、折り畳まれた状態の傘を収容するための、または、傘を張る際のグリップカバーとしてのカバーが、取り付けられている。グリップカバーは、グリップ領域において、力を受容することが可能でなければならないが、他にも、別の、例えば柔軟または折り畳み可能な材料、またはそれとは別に、変形可能な材料から形成されていてもよい。中棒冠部に最も離れた底部側に、中空シリンダ形のグリップカバーの留め金が設けられている。この留め金はまた、張った位置を介して、断面が多角形のパイプ中棒の最も下部の区域を、回転しないように収容している。主要スライドによってグリップカバーの上縁まで移動する案内片が、直径上に配置された、グリップハウジングの内部レール内を移動する。
【００２４】
この案内片は、グリップカバーの内部を、多角形のパイプ中棒および横方向のレールを通って、ぎこちなく導かれ、中棒が少しでも不均一であると動かなくなる傾向がある。従って、傘を回転させることは、不可能である。
【００２５】
特許文献１１（ドイツ特許公報ＤＥ  ２１  ３７  ２６１号）には、折り畳んだ状態において平らな断面の形状をした短縮可能な傘が開示されている。２つのウィングを有するそのヘッド部には、入れ子可能な８個の傘骨が、スロットの中にヒンジ接続されている。ここで、各２つの傘骨は、ヘッド部の横面において、外に出ており、その、同じく２つのウィングを有するその補助スライドには、同様に、補助的支持部材が、スロットの中にヒンジ接続されている。この補助的支持部材は、他端では、主要スライドにヒンジ接続された主要支持部材ジョイントに接続されている。
【００２６】
この短縮可能な傘のための容器は設けられていない。
【００２７】
特許文献１２（ドイツ広告公開ＤＥ  １８  １４  ２０４号）によれば、短縮可能なグリップおよび星型に配置された助材によって支えられる傘面を有するポケット傘が紹介されている。ここで、助材は、端部が閉鎖された、柔軟なチューブから構成されており、その内端部は、上部壁および下部壁によって形成された中央チャンバに合流している。中央チャンバは、スライド可能な吸気弁を備えており、多数の部品から成る傘の中棒は、吸気弁によってネジ留めされている。
【００２８】
傘容器については、紹介されていない。折り畳まれた傘の寸法は、傘の中棒の最も大きな部分長さによって規定される。
【００２９】
特許文献１３（ドイツ特許公報ＤＥ  ６２  ５７  ８３号）には、支持部材を有さない傘が紹介されている。この傘の中棒および傘屋根の傘骨は、入れ子可能であり、傘グリップの中に差込可能である。ここで、傘グリップの中には、傘骨用の作動装置、および、該傘骨用の案内リングも収納される。折り畳まれた傘の中棒と折り畳まれた傘骨とを、グリップハウジング内に収納することは、グリップハウジングの閉鎖された底部の上部に、固定して、且つ、回転またはスライド可能に搭載された円形のプレートを設けることによって、実現している。この円形のプレートは、円錐台の軸方向の穴を通して、傘骨の端部を収容可能であり、閉鎖工程時には、中棒の中心ピンを介して、スライド可能に搭載された、傘骨を固定するためのプレートを起動させる。傘を開くためには、まず、中棒および傘骨をテレスコープ状にのばし、中心ピンを最後まで軸方向運動させることによって、中心ピンが、その固定状態から引き出され、これによって、中心ピンは、傘骨端部用の閉鎖装置を解除する。
【００３０】
中空シリンダ形の傘グリップは、傘骨に対応する数の、該傘骨を収容するための案内ケースと、中棒を収容するための、中央に設けられた案内シリンダとから構成されている。傘屋根用の傘布は、取り外し可能に構成されており、濡れた状態でも、傘グリップハウジングの外側に置く必要がある。傘は、押し込まれた状態では、密閉されて閉鎖され、引き出された状態では、２点支持で支えられる。傘グリップの内部通気は提供されていない。
【００３１】
特許文献１４（ドイツ特許ＤＥ  ６１  ８１  ７４号）には、短縮可能な、完全に傘グリップの中に押し込み可能な折り畳み可能な傘が記載されている。この傘は、２点軸受けされ、固定軸受けされ、および、径方向軸受けされた中棒を備えている。ここで、一体化されてネジ留めされた、異なる直径を有する２つのケース半分（下から上にかぶせられた）は、第１の状態では、中空の傘グリップを形成して、これらのケース半分を、互いに中空体を形成しながらネジ留めし、中棒および傘布を収容する第２の状態では、閉鎖される。直径が小さなケース半分の閉鎖された底部では、案内骨が、軸方向および径方向に、硬直して固定されており、この案内骨の上を、入れ子可能な中空の棒にしっかりと固定されているピストンが、導かれる。ピストンは、第１のケース半分の内壁に支えられており、ケースの底部から開放されたケースの端部まで移動可能であり、ここで、該ケースを閉鎖可能である。
【００３２】
両方のケース半分によって、常に、閉鎖された中空体が形成され、これらの重なってかぶせられたケース半分は、第１の状態では、ピストンによって密閉式に閉鎖されるので、液化した水または傘が濡れたことによって形成された湿気は、放出され得ない。軸方向にのびたスライド可能なピストンが接触するシリンダ面は、常に、ケースの内壁との大きな摩擦力を放出する。密着した可動性のピストンは、運動の方向に応じて、ケースの内部空間に、圧力または真空を生成する。
【００３３】
特許文献１５（イギリス出願ＧＢ  ２  ４０３  ９０４号／スペイン出願ＥＳ  ２  ２９３  ２９２号／米国特許出願ＵＳ  ２００６  １７４  ９２８号／国際出願ＷＯ  ２００５  ０１３  ７５５号）には、折り畳まれた傘を収容するための、傘ホルダまたは傘キャリアが記載されている。ここでは、固定用または持ち運び用の輪を備えるホルダが設けられている。このホルダは、バッグまたはトランクといった荷物の、持ち運び用のグリップの周りに、または該グリップに、かぶせるか、または固定することが可能である。この傘キャリアは、実質的に、中空シリンダとして構成されており、通気開口部も備えている。
【００３４】
当該発明に係る傘キャリアは、傘に無関係な部品として紹介されている。
【００３５】
特許文献１６（イギリス出願ＧＢ  ２  ３２０  ８９３号）では、パタンと畳むことが可能な、且つ折り畳み可能なポケット傘が紹介されている。この文献では、折り畳まれた傘は、完全に、傘グリップの中に収納されている。傘骨に対向して設置された中棒（案内棒）の端部は、蓋によって閉鎖された、中空シリンダ形のグリップハウジングの底部において、縦軸方向に回転可能に一体化されて搭載されている。（案内棒を介してのびる）中棒の第２の棒区域において、グリップハウジングの内径に、外径が適合するスライドまたは支持部が、中棒の、傘骨に対向する端部に、一体化されて固定されており、傘グリップから中棒および傘骨を引き出す際に、グリップハウジングの底部から開口まで移動し、そこで、第２の軸受として、軸方向に回転可能な中棒を安定化する。グリップハウジングは、棒をグリップハウジングの中に容易に導入することを可能にするために、開くまでわずかに円錐台に開口する。
【００３６】
中棒および傘骨が引き出された時に第２の軸受として機能する、スライドまたは支持部は、既に１９３０年の保護権利公報において、折り畳み可能な雨傘の対象である。
【００３７】
特許文献１７（イギリス出願ＧＢ  ３６５  ９５４号）には、中棒および傘骨、傘布、およびグリップを備える公知の雨傘が、二重シェル状の中空シリンダ形のグリップハウジング内に折り畳まれて設置される、折り畳み可能な傘が紹介されている。このグリップハウジングは、丈が長く、直径が短く、折り畳み可能且つロック可能である。ここで、グリップは、ハウジングの一端において突出しており、傘冠部は、折り畳みハウジングの反対側の端部にある。傘グリップは、対角線上に対向して配置された２つの細長い案内レールを通って、折り畳みハウジングの半分に接続されており、ハウジングを開く工程の際には、半分だけ開き、レールを導かれた傘が取り出され、ハウジングからほぼ直角に曲がって開き、定位置に向かって１８０°回転し（縁日の舟形ブランコのように）、再びこのハウジングの半分の中に設置され、第２の蓋の半分によって閉鎖されるようになっている。
【００３８】
グリップハウジングの丈が、傘の丈にほぼ相当しているため、この折り畳み不可能な傘は、ポケット傘には適していない。
【００３９】
特許文献１８（イギリス特許明細書ＧＢ  ３１１  ２６５号）も、婦人用ハンドバッグに連結された傘容器を紹介している。この婦人用ハンドバッグへの連結は、傘が、ハンドバッグの内部にこのために設けられたホルダ内に設置されるように、行われる。
【００４０】
特許文献１９（日本特許出願ＪＰ  ２００２  ２９１  ５０９号）は、防水性のハウジングと傘の開閉のための補助具とを備える、折り畳み可能且つ入れ子可能なポケット傘を記載している。この傘には、他にも、濡れた傘の水がハウジング内に溜まった場合の保存容器が設けられている。さらに、ハウジングは、これを空にするための、ネジ留め可能な開口部を有している。
【００４１】
閉鎖された状態では、傘の柄頭およびハウジングの開口部は、互いにしっかりとネジ留めされている。すなわち、傘は、使用の目的のために、ハウジングから取り出され、ハウジングは、梱包材のように機能する。傘の中棒は、柄頭に、しっかりと連結されている。
【００４２】
特許文献２０（日本特許出願ＪＰ  ２０００  ０７０  ０２４号）も、折り畳まれた状態において、完全に、グリップカバー内に設置される折り畳み可能なポケット傘を紹介している。グリップカバーは、多数の部材から構成されており、実質的には、２つのサンドイッチ状のパイプ区域から成る。これらのサンドイッチ状のパイプ区域は、それぞれ、２つのシリンダ状のシェルの半分から構成されている。これらのシェルの半分は、複数のエラストマー系接続材によってバネ状に固定され、閉鎖されている。このため、傘骨に最も遠く離れた、直径がより大きな第１のパイプ区域は、一端が折れ曲がったシェルの半分によって形成された分割底部蓋を備えている。直径がより短い、同様に構成された第２のパイプ区域は、各シェルの半分の傘骨の反対側の端部に、端部にヒンジが設けられた折り蓋を有している。この折り蓋は、ヒンジ側の端部に向かって縦穴として構成されている中央穴を有している。そのため、引き出された中棒は、蓋を閉めた際に、蓋によって中央に導かれる。これら両方の多数の部材から成る、互いに差し込まれると共に互いに滑動するパイプ区域は、傘が折り畳まれている場合には、その両方の開放した端部においてのみ体積が大きくなり、楕円形のシリンダを形成しながら、互いに連結され、傘が引き出される場合には、グリップカバーとして、体積がほぼ半減された中空の円形シリンダを形成しながら、互いの中に押し込まれる。
【００４３】
グリップカバーである空のハウジングから、傘を収容した輸送ハウジングまで、状態が変化する際に、軸方向および径方向の体積が変化するため、ハウジングの製造には、極めて手間がかかる。この楕円形の、圧力によって径方向にたわむ輸送ハウジングの半分は、持ち運ぶ人の皮膚が負傷することを、排除しない。
【００４４】
特許文献２１（日本公報ＪＰ  ５  １２３  ２１１号）は、特に濡れた傘布を収容するために設けられたグリップカバーを備える、折り畳み可能な傘を紹介している。グリップカバーは、シリンダ形の管区域から構成されている。この管区域の底部側には、棒を収容するための中空シリンダ形の収容部を設けるための底部プレートがネジ留めされており、挿入された棒は、収容部において、回転不可能に接合される。反対側の上端部では、グリップカバーの外皮は、軸方向の短い、厚みが補強された突起部を有している。この突起部は、雌ネジを受容する。シリンダ形の傘のキャップは、浮動軸受−アダプタを介して、棒にネジ留めされており、傘が折り畳まれて押し込まれる際には、中空シリンダ形の突起部を介して、グリップカバーに蓋をする。この突起部は、グリップカバーの雌ネジに適合する、グリップカバーを密閉してネジ留めするための雄ネジを提供する。ここで、傘のキャップとグリップカバーとの間には、密閉したＯ字リングが、設置されている。傘キャップの蓋の周辺の外部に配置された２つの掴み突起部が、ネジを緩めるおよび締めるように機能する。
【００４５】
取り出す際、および仕舞う際には、折り畳まれた、場合によっては濡れた傘の繊細な傘布は、内側にある、角の尖った、ネジを収容する突起部を介して、回転運動せずに、縦方向に、グリップカバーの中に押し込まれる。すなわち、多数回の使用の後には、傘布の損傷が生じる。グリップカバーの上端部の棒の支えとしての、（グリップカバーの底部側の固定支承の横の）第２の軸受は、設けられていない。
【００４６】
特許文献２１（米国公報ＵＳ  ４  ８２１  ７５６号）には、折り畳まれた状態において、完全に、グリップカバー内に設置される折り畳み可能な傘が開示されている。この傘では、中棒は、入れ子可能ではなく、グリップカバーの丈は、傘骨または中棒の最も長い丈よりも長い。中棒は、その下部の、屋根フレームに対向する端部に、グリップカバーの内部に軸方向にスライド可能に搭載されたピストンを備えている。このピストンは、中棒用の案内シリンダを形成している。グリップカバーから取り出す時には、第２の案内が、この棒を、その屋根フレームを向いた端部において移動させる。傘を開くためには、中棒および傘骨を、傘骨がグリップカバーによって包囲されない程度まで、グリップカバーから引き出し、その後、屋根フレームを張ることによって、傘は開かれる。そして、中棒は、再び、グリップカバーおよび屋根フレームが重なりあう程度まで深く、グリップカバーの中に押し込まれ得る。
【００４７】
中棒および傘骨は、入れ子可能ではなく、中棒は、回転しないようになっており、傘ハウジングは、密閉して閉鎖される。すなわち、この傘の長さは、ポケット傘に適合すること、および、ポケット傘として使用することを妨げている。
【００４８】
特許文献２２（米国出願ＵＳ  ４  ４５６  ０２３号）には、水密状の頑丈なカバー内に入れ子可能な中棒を備える折り畳み可能な傘が開示されている。この傘では、傘の先端は、傘が押し込まれた際にカバーを密閉する、ネジ留め可能なグリップキャップを有している。この頑丈なカバーは、シリンダ形の内壁上に、軸方向にのびる溝を有している。この溝の中を、入れ子可能な中棒のスライドの舌部が、傘を押し込むおよび引き出す際に、回転せずに移動する。内壁の上端部では、縦溝が、径方向の螺旋状のネジ溝内を走っており、このため、上部のカバー内部停止具において引き出された傘のスライドは、回転運動によって、カバーの蓋に対して、ロックされ得る。
【００４９】
密閉された傘ハウジングは、内部空間において、傘布の湿気によって引き起こされた、気候によっては排出されない液化した湿気を形成する。この解決策によっても、カバーの上端部には、引き伸ばされた入れ子式の棒の一点軸受が提供されるだけである。
【００５０】
米国特許庁は、特許文献２３（米国公報ＵＳ  ２  ０９１  ６７６号）によって、折り畳み可能なポケット傘を保護している。この傘のグリップハウジングは、互いの中に／互いに重なった縦方向にスライド可能に配置された２つの内部ケースの半分、および、外部パイプの半分から構成されており、ケースの下部の底部は閉鎖されており、入れ子可能な傘の中棒の案内パイプは、一体化されて収容されており、パイプの半分の向かい合った蓋は、棒の先端の冠部材の閉鎖キャップによって形成されており、折り畳まれた状態のグリップハウジングは、密閉して閉鎖される。案内パイプの後の、第１の棒パイプの下端部には、閉鎖された円形の板状案内が、バンドを介して固定されており、板状案内は、傘または入れ子可能な中棒が開くことによって、内部ケースの上部の開放端部にスライドし、この状態において、一方では、これを閉鎖し、他方では、中棒用の第２の径方向の支持軸受を形成する。内部ケースの内壁に縦方向にのびる、向かい合う２つの縦くさびが、対応する構成で取り付けられた案内板の２つのスロットに適合しており、内部ケースと中棒との間には、回転制止体が形成される。
【００５１】
傘のこの回転制止体は、外部のグリップパイプも、内部ケースに対して回転制止されている場合に、提供される。閉鎖された案内板は、ピストンのように動作し、内部ケースの内壁に対して密着し、運動の方向に応じて、ケースの内部に、真空を生成するか、または、圧力を引き起こす。内部ケースがわずかに変形しただけで、案内板の運動が制限されてしまう。
【００５２】
これに対して、特許文献２４（米国出願ＵＳ  １  ８８５  ９６８号）には、ピストンによって傘を収容するグリップハウジングにおける、中棒の一点軸受が記載されている。このピストンは、径方向を向き、この外直径よりも大きい舌部を備えており、舌部は、軸方向に螺旋状に、グリップハウジングのシリンダ状の内壁の上をのびる溝の中をスライドし、これによって、軸方向にスライドする間に、ピストンに横揺れ運動をもたらす。
【００５３】
この横揺れ運動は、傘を引き出す際、および押し込む際に、傘布およびフレームを確実に位置付けるために、折り畳まれた傘とグリップハウジングの内壁との間に相対運動を引き起こす。このため、グリップハウジングとピストンとの間の摩擦を上昇させる。
【００５４】
これに対して、特許文献２５（米国出願ＵＳ  ８９２  ８１３号）が記載する、グリップ内の中棒の一点軸受は、傘の長さや棒の位置に応じて、容器の脚部または頭部に存在する。
【００５５】
特許文献２６（米国出願ＵＳ  ８６８  ３２６号）も、傘容器を備える折り畳み可能な傘を記載している。ここでは、中棒の安定性は、グリップ／容器の脚部軸受においてのみ提供される。
特許文献２７（国際出願ＷＯ  １９９７／０４８  ３０３号）の「Ｃｏｍｂｉｎｅｄ  Ａｍｂｒｅｌｌａ  Ｃａｓｅ  ａｎｄ  Ｈａｎｄｌｅ」は、蓋によって、ネジ留めされる中空シリンダ形の傘グリップを紹介している。ここで、シリンダ形の蓋には、半径上を中棒の幅に、スロットが形成されており、傘グリップは、折り畳まれた傘で充填された状態において、ネジ留めされた蓋によって閉鎖される。ネジ留めされた蓋は、傘が引き出された状態における２点軸受のために、中棒用の通路およびロックを有している。グリップカバーを介して接続された蓋は、その端部に、雌ネジを有している。この雌ネジは、グリップカバーの雄ネジに適合するように構成されている。さらに、この蓋には、棒排出口まで孔を通って突出したつばが設けられている。この蓋の上には、同じく棒の寸法に切り込まれた止め輪が、かぶせられている。止め輪は、回転によって、このスロット開口部を閉鎖し、折り畳み傘が引き出された時には、上述の第２の軸受を、グリップカバーの底部の固定支承の隣に形成する。他の一実施形態は、固定されずに上にかぶせられ、ヒモで固定される回転止め輪の代わりに、手動により作動可能な小さなグリップボタンによって、固定して取り付けられた回転スライドについて記載している。他の一特徴は、カバーの端部にヒンジ接続され、スロットが入れられた折れ蓋を記載している。折れ蓋は、閉鎖状態では、手動で作動されるクリック止め装置によって、支えられている。グリップカバーは、第１の解決方法において、開放され、径方向に縁を形成した底部を有している。この底部では、中棒は、第２の基板によって、固定して搭載されている。あるいは、グリップカバーは、第２の態様において、閉鎖された底部を有している。この底部は、中棒を固定させる、中央に設置されたボルトまたはドエルピンを備えている。
【００５６】
この、中棒用のさらなる軸受点のための解決策としての、回転止め輪を備えるネジ留め蓋の解決策、または、回転止め輪を備える停止蓋は、品質において欠点を有している。すなわち、棒用の幅広の蓋スロットが提供する開口部は、大きすぎる。中棒は一体化されてグリップカバーの底部に固定されている。
【００５７】
紹介した全ての公報は、傘カバーなどの追加的なさらなる機能を有する折り畳み可能な傘としての特別な使用、特に、グリップカバーと、回転および固定可能な二重に取り付けられた中棒の支持部とを備える小型のポケット傘には、条件つきでしか適していないか、または、全く適していない。
【先行技術文献】
【特許文献】
【００５８】
【特許文献１】オーストリア実用新案公報ＡＴ  ００６  ２４９号
【特許文献２】ドイツ実用新案ＤＥ  ２０  ２００７  ０１２  ２７６号／国際出願ＷＯ２００９／０３９  ９３９号
【特許文献３】ドイツ出願公開ＤＥ  １９５  ２５  ４０９号
【特許文献４】ドイツ特許公報ＤＥ  １９５  ０５  ７０７号
【特許文献５】ドイツ出願公開公報ＤＥ  １０２  ５３  ７９７号
【特許文献６】ドイツ出願公開ＤＥ  １０２  １７  ２８０号
【特許文献７】欧州出願ＥＰ  ４９５  ４７２号／ドイツ実用新案  ＤＥ  ９１  １５  １０８号およびＤＥ  ９１  ００  ５０５号
【特許文献８】ドイツ出願公開ＤＥ  ４３  １４  ６５０号
【特許文献９】ドイツ出願公開ＤＥ  ４０  ０８  ２１２号
【特許文献１０】ドイツ出願公開ＤＥ  ２３  ０７  ７０６号／イタリア出願ＩＴ  ２０  ８９８号
【特許文献１１】ドイツ特許公報ＤＥ  ２１  ３７  ２６１号
【特許文献１２】ドイツ広告公開ＤＥ  １８  １４  ２０４号
【特許文献１３】ドイツ特許公報ＤＥ  ６２  ５７  ８３号
【特許文献１４】ドイツ特許ＤＥ  ６１  ８１  ７４号
【特許文献１５】イギリス出願ＧＢ  ２  ４０３  ９０４号／スペイン出願ＥＳ  ２  ２９３  ２９２号／米国特許出願ＵＳ  ２００６  １７４  ９２８号／国際出願ＷＯ  ２００５  ０１３  ７５５号
【特許文献１６】イギリス出願ＧＢ  ２  ３２０  ８９３号
【特許文献１７】イギリス出願ＧＢ  ３６５  ９５４号
【特許文献１８】日本特許出願ＪＰ  ２００２  ２９１  ５０９号
【特許文献１９】日本特許出願ＪＰ  ２０００  ０７０  ０２４号
【特許文献２０】日本公報ＪＰ  ５  １２３  ２１１号
【特許文献２１】米国公報ＵＳ  ４  ８２１  ７５６号
【特許文献２２】米国出願ＵＳ  ４  ４５６  ０２３号
【特許文献２３】米国公報ＵＳ  ２  ０９１  ６７６号
【特許文献２４】米国出願ＵＳ  １  ８８５  ９６８号
【特許文献２５】米国出願ＵＳ  ８９２  ８１３号
【特許文献２６】米国出願ＵＳ  ８６８  ３２６号
【特許文献２７】国際出願ＷＯ  １９９７／０４８  ３０３号
【発明の概要】
【発明が解決しようとする課題】
【００５９】
従って、本発明の目的は、傘カバーなどの追加的なさらなる機能を有する、請求項１の上位概念に係る装置、すなわち折り畳み可能な傘を実現することにあり、特に、グリップカバーと、回転および固定可能な二重に取り付けられた中棒の支持部とを備える小型のポケット傘を実現することにある。
【課題を解決するための手段】
【００６０】
この課題は、本発明によれば、請求項１の特徴によって解決される。従属請求項は、好ましい態様を、参照するものである。目的は、傘カバーなどの追加的なさらなる機能を有する折り畳み可能なポケット傘を作製することであり、特に、グリップカバーと、回転および固定可能な二重に取り付けられた中棒の支持部とを備える小型のポケット傘を作製することである。好ましくは、中空シリンダとして構成されたグリップカバーは、グリップカバーが、案内パイプ、支持部材、中棒、主要スライドおよび補助スライド、先端の冠部材、傘骨、および傘布から実質的に構成される傘を、折り畳むことおよび押し込むことによって、完全に収容可能なように構成されている。先端の冠部材および石突きに接触しながら中棒に固定して連結された、アクセスが良好な、好ましくは同様に形成された板状の引っ張りグリップを介して、使用者は、迅速な操作が可能である。
【００６１】
新規の本発明の好ましい他の態様は、案内パイプ、支持部材、中棒、並びに、主要スライドおよび補助スライドからの組み合わせを示すものであり、ここで、支持部材は、その円錐台の構造によって、並びに、その三脚の滑り軸受およびスライドバネによって、引き出された中棒のどの位置でも、この構成に安定性を提供すると同時に、ある程度の柔軟性も提供する。
【００６２】
本発明の他の好ましい一態様は、傘のグリップカバーの両側、すなわち、上部側および底部側の開口部によって（上部側では、グリップカバーのつばと引っ張りグリップとの間の、輪を形成する環状のスペーサによって、および、底部側では、板状の底部プレート内の細長いスロットまたは穴、または同様に、グリップカバーのつばと底部蓋との間の、輪を形成する環状のスペーサによって）、傘骨および傘布で充填された内部空間の通気が提供され、湿気が溜まることが回避される。
【００６３】
また、蓋部分および底部部分を、一方では、中棒の先端の冠部材の収容部と、他方では、案内棒用のピボット軸受とを具備するように構成することは、工具のコストおよび部品の数を低減することに寄与する。
【００６４】
他の一実施形態によれば、案内パイプと連結された、ねじれに対して剛性を有する中棒は、好ましくは多角形に構成されており、この領域において、回転することはない。
【００６５】
断面の形状が好ましくは多角形である案内パイプは、適合して形成された、浮動軸受の形の収納された直立パイプ円錐体を介して、グリップカバーに、安定して且つ回転可能に連結されているが、その最終位置では、回転しないように係止される。
【００６６】
折り畳まれた傘をグリップカバーの中に導入する際の回転可能性は、傘を持つ人にとって、好ましい傘導入補助体を示しており、これによって、案内パイプ、支持部材、主要および補助スライド、先端の冠部材、傘骨、並びに傘布を、折り畳むこと、および、グリップカバーの中に押し込んで、傘を急いで梱包する際にも、人が怪我をしたり、材質が損傷したりすることを引き起こさない。
【００６７】
さらに、本発明の好ましいさらなる一態様は、グリップカバーのつばと引っ張りグリップとの間の、輪を形成する環状のスペーサが、手動による操作のための大きな空間を提供するため、使用者が、傘を開くために、引っ張りグリップにアクセス可能な点にある。
【発明の効果】
【００６８】
本発明によって実現可能な利点は、特に、好ましくは、中棒の（案内パイプの後の）第１のパイプ区域の下端部に固定して連結される支持部材を備える、好ましくは３次元の円錐台の三脚の形状にある。一方では、バネ状の滑り軸受の構成は、グリップカバーの内部において、支持部材の断面が完全に平面状になることを可能にせず、他方では、この支持部材の三脚としての構成は、通気されるグリップカバーの内部空間に、空気通路用の自由空間を実現する。
【００６９】
さらに、案内パイプおよび中棒を３点で軸受すること、従って傘の荷重を３点で軸受することは、一方では、安定性の確保に関して最適であると共に、他方では、中棒の（案内パイプの後の）第１のパイプ区域の下端部に有利に固定されて連結される支持部材を、引き出す際および押し込む際に、支持部材とグリップカバーの内壁との間の摩擦損失を最小限に抑えることに関して最適である。
【００７０】
本発明の構成のさらなる利点は、グリップカバーの、人間工学的且つ広告技術的な構成にある。すなわち、好ましくは中空シリンダ状のアルミニウムボディの構造は、使用者が良好に手にとることを可能にし、この基材に、高価な材料によって、価値的に特別な感覚を提供し、傘布を開いていない時にも、理想的な広告用の平面を提供する。
【００７１】
傘の中棒が引き出された場合の回転可能性と、押し込まれた状態において回転しないような着座とを組み合わせることによって、使用者または傘を持つ人には、次の利点が提供される。すなわち、一方では、風の負荷が強いとき、または傘骨の先端がぶつかったときに、フリーホイールを提供し、これによって、傘布の損傷が回避され、および／または、固定支承における案内骨の損傷が回避され、傘を持つ人が怪我をする危険が低減される点、および、他方では、グリップカバーと棒とが、小型の、それ自体が頑丈なユニットを構成する点である。
【図面の簡単な説明】
【００７２】
【図１】ａ）引き出された状態、ｂ）押し込まれた状態の、ポケット傘の全体を示す斜視図であり、スライド、傘骨、傘布は示されていない。
【図２】押し込まれた状態のポケット傘を示す、ａ）側面図、ｂ）断面図である。
【図３】引き出された状態のポケット傘を部分的に示す、ａ）側面図、ｂ）断面図である。
【図４】引き出された状態のポケット傘の全体を示す、ａ）側面図、ｂ）断面図である。
【図５】図５は、脚部軸受および支持部材を分解した、ａ）斜視図、ｂ）断面図である。
【図６】単独の部品である支持部材を示す、ａ）上面図、ｂ）斜視図、ｃ）側面図、ｄ）断面図である。
【発明を実施するための形態】
【００７３】
以下に、本発明の対象を、添付された実施態様の図面を参照しながら、さらに説明する。図面では、実施形態の同一および同様に作用する部品は、それぞれ、同一の参照番号が付されている。
【００７４】
引き続き以下に、本発明に係る装置について、図面を参照しながら説明する。
【００７５】
図１は、小型のポケット傘１を示す、斜視図である。ここでは、主要および補助スライド、傘骨、および、傘布は示されておらず、ポケット傘１は、好ましくは金属の中空シリンダ２１としてのグリップカバー２、中棒３、傘ヘッド部４（引っ張りグリップ４１と環状薄板４２とから構成される）、および、蓋５１を有する脚部軸受５から構成されている。図１ａ）では、ポケット傘１は、引き出された中棒３、および、パイプ区域１（３３）、パイプ区域２（３４）、およびパイプ区域３（３５）を備えている。全体が分かり易いように、傘骨７および傘布８の図解は省かれている。グリップカバー用のボディとしては、好ましくは、壁厚の薄い耐久性のアルミニウム製中空シリンダが提案される。この中空シリンダは、場合によっては、陽極酸化加工された有色の表面を有していてよい。
【００７６】
図１ｂ）は、押し込まれた状態における、グリップカバー２，２１、傘ヘッド部４，４１、および、脚部軸受５，５１を備える小型のポケット傘１を示す斜視図である。この状態では、中棒、支持部材、主要および補助スライド、先端の冠部材、傘骨、および傘布は、完全に、グリップカバー内に収納されている。表面２１は、有利にも、特に傘を開いていない時であっても、広告掲載体に適している。
【００７７】
図２は、押し込まれた状態の小型のポケット傘１を示す図であり、図２ａ）はこれを、側面図として、および、図２ｂ）は、断面図として示す図である。通気および操作のために設けられた環状薄板４２の構成が明示されている。この環状薄板４２は、引っ張りグリップ４１およびその下に設けられた先端の冠部材４３と一体化して連結されている。環状薄板は、直径にわたって等間隔に軸方向を向いて配置されたひれ状部材から構成されている。該ひれ状部材は、その縦方向の拡張部において、２段に構成されている。第１の段では、グリップカバーの上縁と引っ張りグリップの張出部との間に、空隙として機能する間隔が、縦方向に形成され、第２の段では、ひれ状部材の拡張部は、径方向において、グリップカバーの内径に対応して形成される。これによって、ひれ状部材とグリップカバーの内壁との間には、ｍ個のひれ状部材において、ｍ個の通気通路が形成される。
【００７８】
中空シリンダ形のグリップカバー２，２１の両開口部は、蓋で覆われており、グリップカバーは、押し込まれた案内パイプ１，２（３１，３２）と、中棒３のパイプ区域１，２，３（３３，３４，３５）とを、支持部材３３１と共に、完全に収容している。この状態では、支持部材は、回転しないように、対向軸受６０の止めピン６２によって、固定されている。止めピンが、係止フックとして構成されているならば、傘１の開放は、強制的に導かれて行われる。脚部軸受５は、中空体２１に一体化されて固定された蓋５１，５２から構成されている。この蓋は、対向軸受６０とも一体化されて連結されており、対向軸受６０と底部蓋との間において、ピボット軸受５５を収容している。ピボット軸受５５は、収容部５３、固定手段５４、およびセンタリング部材５７によって固定されている。ピボット軸受および対向軸受は、接触面５８，６１を共有している。中棒３の案内パイプ１（３１）は、ピボット軸受に一体化されて連結されている。中棒の全てのパイプおよび区域が、回転しないパイプによって連結されているため、頑丈な対向軸受の止めピンは、支持部材を、径方向スロット３３２を介して固定している。支持部材は、パイプ区域１を介して、全てのパイプおよび区域、並びに引っ張りグリップ４１を、回転させないように作用すると共に、案内パイプ１，２（３２，３３）を介して、ピボット軸受５５にも作用する。
【００７９】
傘を開くためには、まず、対向軸受の止めピンが支持部材の径方向スロットを解除するまで、引っ張りグリップを軸方向に引き出す必要がある。その後、グリップカバーを軽く回転させる／引っ張ることによって、傘布が張られた傘を、取り出すことが可能である。支持部材３３１は、ドーム３３５によるその３次元的構造において、ピボット軸受５５および対向軸受６０の円錐台の構成に適合しており、従って、支持部材３３１は、不可欠な柔軟性に加えて、求められる剛性を有している。
【００８０】
図３は、引き出された状態における小型のポケット傘１を部分的に示すものであり、図３ａ）は、これを、側面図として、および、図３ｂ）は、断面図として示すものである。支持部材３３１は、グリップカバー２の中空シリンダ２１の、先端の冠部材４３側の開口部を閉鎖している。パイプ区域１，２（３３，３４）は、案内パイプ１，２（３１，３２）に連結されて回転しないようになっており、案内パイプ１は、栓状部材５９を介して、ピボット軸受５５に固定されて接続されている。ピボット軸受５５は、傘が開いた状態では、自由に回転可能に、対向軸受６０内を移動可能である。そのため、傘がぶつかること、または強い突風などといった、傘骨７（図示されていない）および傘布８（図示されていない）への外的影響によって、これらが、損傷的作用または破壊的作用を受けることはない。
【００８１】
図４は、引き出した状態における、ポケット傘１を示す全体図であり、図４ａ）は、側面図であり、図４ｂ）は断面図である。図４は、案内パイプ１，２（３１，３２）とパイプ区域１，２，３（３３，３４，３５）とを備える中棒３の完全な構成を、明確に示している。
【００８２】
図５は、支持部材３３１を備える脚部軸受５の構成を分解して示す図であり、図５ａ）は、これを、斜視図において、および、図５ｂ）は、各部品の断面図として示す図である。脚部軸受は、実質的には、射出成形された固定具５２および収容部５３を備えるプラスチック蓋５１から構成されている。この蓋固定具の直径は、張った状態では、グリップカバー２，２１に、該グリップカバーの下部の開口部において、一体化されて引っ付くように形成されている。このプラスチック蓋は、グリップカバーを通気するために、スロット若しくは穴６３、または、単独のひれ状部材から形成された環状薄板を備えていてよい（図示されていない）。環状薄板については、上部の蓋開口部の説明時に説明したとおりである。この場合、図示された蓋固定具の留め輪が、ひれ状部材内に形成されることが、引っ張りグリップ４１の態様との相違点である。蓋をぴったり合わせるために重要なことは、蓋が、傘全体に作用する力を受容可能であることである。
蓋収容部には、ピボット軸受５５が密着して接続される。このプラスチック部品は、多数の機能を有している。すなわち、プラスチック部品は、刻み目が形成された栓状部材５９を介して、案内パイプ１（３１）を回転しないように収容し、台５６によって、底部蓋上の中棒３を回転可能に支え、着座したプラスチックの対向軸受６０との接続を、軸受胴５８のシリンダ面によって形成する。対向軸受は、超音波溶接または接着によって、底部蓋と一体化して連結される。この場合、ピボット軸受５５は、予め、軸受胴６１内に収容されている。構造的には、対向軸受は、圧入によって、底部蓋およびグリップカバーに連結されてもよい。対向軸受はさらに、射出成形された止めピン６２を有している。止めピン６２は、ポケット傘を押し入れた状態において、支持部材３３１を受け止める。この止めピンは、支持部材内の収容部の対応する構成を有する係止フックとして構成されていてもよい。この場合、傘を開くためには、まず、引っ張りグリップ４１を介して、引張力によって対向軸受および支持部材を解除し、その後、グリップカバーを、おそらく軽く回転させるか、または横揺れ運動させることによって、傘の一部である中棒および傘布を取り出す。ここでも、構造的代替案が提案される。支持部材は、傘１を折り畳むと共に押し込んだ際に、傘骨の先端を、収容部３３７を介して束ねる。
【００８３】
図６は、１つの部品である支持部材３３１を示す図であり、図６ａ）は、上面図であり、図６ｂ）は、斜視図であり、図６ｃ）は、側面図であり、図６ｄ）は断面図である。この支持部材は、パイプ収容部３３６を介して、中棒３のパイプ区域１（３３）の下端部に一体化されて取り付けられ、グリップカバー２の中空シリンダ２１の内部において、傘が押し込まれた際の脚部軸受５と、傘が引き出された際のグリップカバーの上縁部との間を移動し、傘が引き出された状態では、脚部軸受に加えて、中棒用の第２の支持部を形成する。支持部材のボディは、ほぼ円錐台に、ドーム３３５として構成されており、対向軸受６０の軸受胴６１の形状に適合しており、端部に向かって、同じく円錐台の穴３３７を有している。穴３３７は、傘１が折り畳まれて押し込まれた際に、傘骨の先端を収容する。支持部材の径方向にのびた端部は、多機能に構成されている。すなわち、端部は、この図によれば１２０°の分割区域で、複数の領域に分割され、交互に、支持領域３３４、スライドバネ領域３３３、および通気領域３３２に分割されている。自由に選択された１２０°の分割区域（別の分割区域も同様に可能である）では、これらの支持領域は、材料が混合された静止した三脚を形成する。この三脚は、実質的に、張られた屋根構造体から中棒を介して伝達される径方向の力を受容し、該力と軸方向の力とを、脚部軸受５によって、中空シリンダ形のグリップカバー２，２１上に伝送する。三脚の外形寸法は、中空シリンダの内径よりも最小限の小さい寸法が許容される。
【００８４】
これらの支持領域の後には、スライドバネ領域および通気領域がそれぞれ１つずつ形成されている。スライドバネ領域および通気領域は、支持部材の端部の切込みによって、バネ素子として、中空シリンダ２１の内壁に作用する。スライドバネ領域が、支持部領域の対応する寸法よりも径方向にわずかに大きいので、スライドバネ領域は、中空シリンダ−内壁に隣接し、径方向の力を印加すると、支持部の領域が内壁に接触するまで、軽く撓む。中棒を引き出す際、および押し込む際には、このバネは、中空シリンダの内壁２１を介して滑動する。これらの図面では、支持部材の端部の切込みは、平行にのびる径方向スロットとして示されている。すなわち、楕円形、双曲線状、放物線状、または、非平行のスロットが、材料の選択にも応じて、ばねの作用を追加的に支援することが可能である。パイプ収容部３３６から支持部材の外径までの、２つの連続する円錐台であるドーム３３５および収容部３３７は、支持領域に、追加的に、バネ特性を提供する。一方で、バネ状の滑り軸受３３３の構成は、グリップカバー２の内部において、支持部材３３１の断面が完全に平面状になることを可能にせず、他方で、支持部材の三脚としての構成は、グリップカバーの内部空間の通気循環のために、空気の通路３３２用の自由空間を実現し、支持部材を移動させる際の圧力バランスを取る。
【００８５】
本発明の好ましい発展形態は、従属請求項の範囲である。本発明の態様の多数の可能性および利点は、保護権利の請求項の数に反映されている。
【符号の説明】
【００８６】
１  ポケット傘
２  グリップカバー
２１  パイプ、中空体
３  中棒
３１  案内パイプ１
３２  案内パイプ２
３３  パイプ区域１
３３１  支持部材
３３２  通気領域
３３３  スライドバネ領域
３３４  支持領域
３３５  ドーム
３３６  パイプ収容部
３３７  収容部
３４  パイプ区域２
３５  パイプ区域３
４  傘ヘッド部
４１  石突き、引っ張りグリップ
４２  環状薄板、スペーサ
４３  先端の冠部材
５  脚部軸受
５１  蓋
５２  固定具
５３  収容部
５４  固定手段
５５  ピボット軸受
５６  台
５７  センタリング部材
５８  軸受胴
５９  栓状部材
６０  対向軸受
６１  軸受胴
６２  止めピン
６３  空気スロット
【図１】
0005791182.tif 000002
【図２】
0005791182.tif 000003
【図３】
0005791182.tif 000004
【図４】
0005791182.tif 000005
【図５】
0005791182.tif 000006
【図６】
0005791182.tif 000007